(57)【要約】【課題】本発明は、遊技の高い興趣を確保することを目的とする。【解決手段】始動口への遊技球の入賞に基づいて表示装置で複数の図柄を可変表示してから停止表示する可変表示ゲームを実行し、該可変表示ゲームの停止表示結果に基づいて変動入賞装置を遊技球が入賞しない閉状態から遊技球が入賞可能な開状態に変換して遊技者に有利な遊技状態を発生することが可能な遊技機において、可変表示ゲーム実行手段は、可変表示ゲームにおける複数の図柄の可変表示の結果としてリスタート図柄を停止表示する毎に、始動記憶を減数することなく複数の図柄を再度可変表示することによって、一の始動記憶に基づいて複数の図柄の可変表示と停止表示とを繰り返し実行可能であることを特徴とする遊技機。【選択図】図２５
2010155171.tif 000002
【特許請求の範囲】
【請求項１】
始動口への遊技球の入賞に基づいて表示装置で複数の図柄を可変表示してから停止表示する可変表示ゲームを実行し、該可変表示ゲームの停止表示結果に基づいて変動入賞装置を遊技球が入賞しない閉状態から遊技球が入賞可能な開状態に変換して遊技者に有利な遊技状態を発生することが可能な遊技機において、
前記可変表示ゲームを実行するための始動記憶を前記始動口への遊技球の入賞毎に記憶する始動記憶手段と、
前記始動記憶手段に記憶された始動記憶を減数して前記表示装置で前記可変表示ゲームを実行する可変表示ゲーム実行手段と、を備え、
前記可変表示ゲームにおいて停止表示される図柄の種類には、複数の図柄を再度可変表示させるためのリスタート図柄が含まれ、
前記可変表示ゲーム実行手段は、前記可変表示ゲームにおける前記複数の図柄の前記可変表示の結果として前記リスタート図柄を停止表示する毎に、前記始動記憶を減数することなく前記複数の図柄を再度可変表示することによって、一の始動記憶に基づいて前記複数の図柄の可変表示と停止表示とを繰り返し実行可能であることを特徴とする遊技機。
【請求項２】
前記可変表示ゲーム実行手段は、
前記始動記憶手段に記憶された始動記憶を減数して第１乱数を取得し、該第１乱数に基づいて前記可変表示ゲームにおいて停止表示する停止表示図柄を決定する停止表示図柄決定手段を備え、
前記停止表示図柄決定手段によって前記リスタート図柄の停止表示が決定された場合に前記リスタート図柄を停止表示させるよう構成され、
前記停止表示図柄決定手段は、前記可変表示ゲーム実行手段によって前記リスタート図柄が停止表示される毎に前記始動記憶を減数することなく前記第１乱数を再度取得して前記停止表示図柄を決定することを特徴とする請求項１に記載の遊技機。
【請求項３】
遊技領域に放出された遊技球を検出する遊技球検出手段と、
前記表示装置に前記始動口を画像始動口として表示するとともに、前記遊技球検出手段が遊技球を検出する毎に画像遊技球を表示させて移動する画像制御手段と、
前記遊技球検出手段による遊技球の検出毎に前記画像始動口へ前記画像遊技球を入賞させるか否かを決定する始動入賞決定手段と、を備え、
前記始動入賞決定手段は、前記遊技球検出手段によって検出された遊技球数が予め設定されたゲーム設定値となることを一単位とし、該一単位に達する毎に第２乱数を取得して該第２乱数が当りである場合、又は、前記第２乱数が二度続けて当たりでない場合に、前記画像始動口へ前記画像遊技球を入賞させると決定し、
前記画像制御手段は、前記始動入賞決定手段によって前記画像始動口への前記画像遊技球の入賞が決定されたことに基づいて前記画像始動口へ前記画像遊技球を入賞させるように移動表示し、
前記始動記憶手段は、前記画像始動口へ前記画像遊技球が入賞したことに基づいて前記始動記憶を記憶することを特徴とする請求項２に記載の遊技機。
【発明の詳細な説明】
【技術分野】
【０００１】
この発明は、遊技機に関する。
【背景技術】
【０００２】
遊技領域に始動口、画像表示装置、変動入賞装置等を備えて、遊技球が始動口に入賞する毎に始動記憶を＋１加算記憶し、該始動記憶を−１減数する毎に画像表示装置に複数表示される識別情報を可変表示する可変表示ゲームを行い、この結果に基づき変動入賞装置を開状態に変換する等、遊技者に有利な遊技状態を発生する（特典を付与する）。
【先行技術文献】
【特許文献】
【０００３】
【特許文献１】特開平５−３０９１６４号公報
【発明の概要】
【発明が解決しようとする課題】
【０００４】
このような遊技機は、一の始動記憶に基づいて実行される可変表示ゲームにおいて識別情報の可変表示が一度しか行われないため、遊技の興趣が乏しかった。
【０００５】
このため、本発明は、遊技の高い興趣を確保することを目的とする。
【課題を解決するための手段】
【０００６】
第１の発明は、始動口への遊技球の入賞に基づいて表示装置で複数の図柄を可変表示してから停止表示する可変表示ゲームを実行し、該可変表示ゲームの停止表示結果に基づいて変動入賞装置を遊技球が入賞しない閉状態から遊技球が入賞可能な開状態に変換して遊技者に有利な遊技状態を発生することが可能な遊技機において、前記可変表示ゲームを実行するための始動記憶を前記始動口への遊技球の入賞毎に記憶する始動記憶手段と、前記始動記憶手段に記憶された始動記憶を減数して前記表示装置で前記可変表示ゲームを実行する可変表示ゲーム実行手段と、を備え、前記可変表示ゲームにおいて停止表示される図柄の種類には、複数の図柄を再度可変表示させるためのリスタート図柄が含まれ、前記可変表示ゲーム実行手段は、前記可変表示ゲームにおける前記複数の図柄の前記可変表示の結果として前記リスタート図柄を停止表示する毎に、前記始動記憶を減数することなく前記複数の図柄を再度可変表示することによって、一の始動記憶に基づいて前記複数の図柄の可変表示と停止表示とを繰り返し実行可能であることを特徴とする。
【０００７】
第２の発明は、前記可変表示ゲーム実行手段は、前記始動記憶手段に記憶された始動記憶を減数して第１乱数を取得し、該第１乱数に基づいて前記可変表示ゲームにおいて停止表示する停止表示図柄を決定する停止表示図柄決定手段を備え、前記停止表示図柄決定手段によって前記リスタート図柄の停止表示が決定された場合に前記リスタート図柄を停止表示させるよう構成され、前記停止表示図柄決定手段は、前記可変表示ゲーム実行手段によって前記リスタート図柄が停止表示される毎に前記始動記憶を減数することなく前記第１乱数を再度取得して前記停止表示図柄を決定することを特徴とする。
【０００８】
第３の発明は、遊技領域に放出された遊技球を検出する遊技球検出手段と、前記表示装置に前記始動口を画像始動口として表示するとともに、前記遊技球検出手段が遊技球を検出する毎に画像遊技球を表示させて移動する画像制御手段と、前記遊技球検出手段による遊技球の検出毎に前記画像始動口へ前記画像遊技球を入賞させるか否かを決定する始動入賞決定手段と、を備え、前記始動入賞決定手段は、前記遊技球検出手段によって検出された遊技球数が予め設定されたゲーム設定値となることを一単位とし、該一単位に達する毎に第２乱数を取得して該第２乱数が当りである場合、又は、前記第２乱数が二度続けて当たりでない場合に、前記画像始動口へ前記画像遊技球を入賞させると決定し、前記画像制御手段は、前記始動入賞決定手段によって前記画像始動口への前記画像遊技球の入賞が決定されたことに基づいて前記画像始動口へ前記画像遊技球を入賞させるように移動表示し、前記始動記憶手段は、前記画像始動口へ前記画像遊技球が入賞したことに基づいて前記始動記憶を記憶することを特徴とする。
【発明の効果】
【０００９】
この発明によれば、可変表示ゲームにおける可変表示の結果としてリスタート図柄が停止表示される毎に、始動記憶を減数することなく複数の図柄を再度可変表示することで、１の始動記憶に基づいて複数の図柄の可変表示と停止表示を繰り返し実行可能であるので、より興趣に溢れた可変表示ゲームを実行することが可能となり、興趣に富んだ遊技を行える。
【図面の簡単な説明】
【００１０】
【図１】遊技機の正面図である。
【図２】遊技機の側面図である。
【図３】遊技機のカバーガラス枠を開いた状態の正面図である。
【図４】遊技機の内枠のパネル部を開いた状態の斜視図である。
【図５】遊技盤の一部切欠正面図である。
【図６】遊技盤の斜視図である。
【図７】遊技機の断面図である。
【図８】ワープ樋の裏面図である。
【図９】パネル下部の傾斜面部分の表面図である。
【図１０】遊技機の裏面図である。
【図１１】遊技機収納設備の部分斜視図である。
【図１２】管理装置の正面図である。
【図１３】制御系の構成図である。
【図１４】役物制御装置の部分ブロック構成図である。
【図１５】役物制御装置の部分ブロック構成図である。
【図１６】制御フローチャートである。
【図１７】制御フローチャートである。
【図１８】制御フローチャートである。
【図１９】制御フローチャートである。
【図２０】制御フローチャートである。
【図２１】制御フローチャートである。
【図２２】制御フローチャートである。
【図２３】制御フローチャートである。
【図２４】制御フローチャートである。
【図２５】制御フローチャートである。
【図２６】制御フローチャートである。
【図２７】操作部の表示例を示す図である。
【図２８】操作部の表示例を示す図である。
【図２９】遊技盤の画像表示例を示す図である。
【図３０】図柄回転ゲームの図柄の例を示す図である。
【図３１】制御フローチャートである。
【図３２】制御フローチャートである。
【発明を実施するための形態】
【００１１】
以下、本発明の実施の形態を図面に基づいて説明する。
【００１２】
図１は遊技機（パチンコ機）の正面図、図２はその側面図を示す。
【００１３】
遊技機の外形は、ほぼ全体的に丸形に、下部が方形に形成されている。この外形を形成する外枠１に内枠２が収装される。
【００１４】
外枠１は、丸形部位が筒状に、その筒状部４の前開口面がいくらか奥方に傾斜するように形成され、下部は箱状に形成される。
【００１５】
内枠２は、外枠１の筒状部４の内側に配設された枠本体１２の前面にパネル部３が設けられる。
【００１６】
パネル部３には、図３のように遊技盤５が装着され、パネル部３の前面に遊技盤５を覆い、保護するカバーガラス８がガラス枠６を介して配設され、カバーガラス８の下方のパネル下部７は機前方に膨出される。
【００１７】
枠本体１２は、パネル部３と共に駆動機構を介して外枠１に前後方向に移動可能に設けられ、パネル部３は、駆動機構を介して図４のように開閉可能に形成される。
【００１８】
遊技盤５の表面には、図５のように遊技領域の中央に遊技画像等を表示する画像表示装置１４が、その下方に変動入賞装置１５等が配設される。画像表示装置１４の中央直上方にはＣＣＤカメラ１０が嵌装される。
【００１９】
画像表示装置１４には、画面の大きい液晶等の表示装置が用いられる。変動入賞装置１５には、ソレノイドによって閉状態から開状態に変換駆動される開閉扉１７が設けられると共に、入賞球を検出するカウントセンサ１１が配設される。
【００２０】
画像表示装置１４の直上方には、図５、図６のように遊技球を遊技盤５の裏側に導くワープ入口７０が形成される。ワープ入口７０は、画像表示装置１４の幅方向一帯に開口、形成される。
【００２１】
遊技盤５の裏面側には、図７、図８のように画像表示装置１４の裏側に、ワープ入口７０から入った遊技球を通すワープ樋１３（遊技領域である）、および画像表示装置１４、変動入賞装置１５、各装飾ランプ等を制御する役物制御装置（遊技制御装置）１６等が配設される。
【００２２】
ワープ樋１３は、画像表示装置１４を遊技盤５に固定すると共にその裏面を保護する保護部材７１に、所定の奥行きのパネル状のハウジング枠７２が重ねられ取付けられて、形成される。ワープ樋１３の上部には、案内壁７３によって複数（４つ）の流入路が形成され、それぞれ流入路には遊技球の通過を検出するゲートセンサ５０〜５３が設けられる。ゲートセンサ５０〜５３を通過した遊技球は案内壁７４によって中央下部に向かうように形成される。
【００２３】
ワープ入口７０からワープ樋１３に入った遊技球は、いずれかの流入路のゲートセンサ５０〜５３を通過して検出され、中央下部に流下される。
【００２４】
画像表示装置１４の直下方には、ワープ樋１３の中央下部に接続するワープ出口７５が開口される。ワープ出口７５は、変動入賞装置１５の上方に位置して、その開閉扉１７が開状態のときに、ワープ出口７５から流出した遊技球がその開閉扉１７を介して変動入賞装置１５に入賞するように形成される。
【００２５】
遊技盤５の遊技領域の最下部にはアウト口２２が形成され、その奥底部にアウト球（回収球）を検出するアウトセンサ１９が配設される。
【００２６】
打球の発射装置１８は、図５のように遊技盤５の左上部裏面にて、内枠２のパネル部３に配置され、遊技領域を囲うガイド壁２０に開口された発射口２１から遊技領域の上部に遊技球が発射される。
【００２７】
内枠２のパネル部３の裏面側には、図４、図１０のように遊技球の循環経路が設けられる。循環経路は、遊技盤５のアウト口２２等からの球を回収する回収樋２３、回収樋２３の球を上方へ送る移送機構２４、移送された球を貯留すると共に発射装置１８に導く貯留樋２５、および球抜き樋２６、球抜き装置等から形成される。
【００２８】
発射装置１８の制御、循環経路の各装置の制御、ならびに遊技機の内枠２の枠本体１２の移動制御、パネル部３の開閉制御等は本体制御装置３０により行われる。
【００２９】
パネル部３の下方のパネル下部７は、パネル部３に一体に取付けられ、図９のように上部が機前方に段階的に所定角度で下り傾斜する傾斜面２７，２８に形成される。
【００３０】
傾斜面２７，２８の中央には、遊技を行うための第１、第２操作部３１，３２が配設される。第１、第２操作部３１，３２は、液晶等の表示装置３３，３４と、その表示面のタッチ位置を検出する座標読取スイッチを有するタッチパネル３５，３６とから形成される。第１、第２操作部３１，３２の裏面側（パネル下部７の内部）には、図４のように操作表示制御装置３７が設けられる。
【００３１】
傾斜面２８の右部位は途中から切り欠かれて、その前端部３８に図１のように所定のカードが挿入される挿入口４０が形成される。挿入口４０の奥方（外枠１側）には、図４、図１０のように挿入されたカードの情報を読み取り、またカードに情報を書き込むリーダーライタ４１が配置される。
【００３２】
第１操作部３１の表示装置３３には、図２７のように“玉貸金額”、“自動玉貸”、“貯玉金額”、“１００円”、“５００円”、“１０００円”、“玉貸金額ＸＸＸＸＸ円”、“貯玉金額ＸＸＸＸＸ円”、 “持玉数ＸＸＸＸＸＸコ”、“中断”、“終了”、“発射”、“弱ー強”、“停止”等が表示される。中央部位には、遊技、操作のガイド、遊技情報、および各種のメッセージ等が表示される。“玉貸金額”、“自動玉貸”、“貯玉金額”、“１００円”、“５００円”、“１０００円”、“中断”、“終了”、“発射”、“弱ー強”、“停止”は、表示部をタッチされることにより、スイッチとして機能される。
【００３３】
第２操作部３２の表示装置３４には、画像表示装置１４の画像ゲームに参入するための操作画面（役物制御装置１６から画像信号が送られる）等が表示される。図２８に操作画面の例を示す。
【００３４】
カードが挿入口４０に挿入され、第１操作部３１の操作によって持玉数が表示されると、またはカードに記録されているデータによって持玉数が表示されているとき、発射装置１８から遊技球の発射が可能にされる。
【００３５】
図１１のように遊技機を収納する収納設備４２には、遊技機の上方に遊技情報ディスプレイユニット４３が備えられる。収納設備４２のコーナーにはカードに金額を付加する大型金額付加機３９が、遊技機の片側にはカードに小額の金額を付加する台間金額付加機４４が配置され、遊技情報ディスプレイユニット４３ならびに大型金額付加機３９の上方には図１２に示す管理装置１００側との光送受信部４５が設けられる。
【００３６】
図１３のように遊技情報ディスプレイユニット４３のメインコントロール装置４６、役物制御装置１６、操作表示制御装置３７、本体制御装置３０、カードリーダーライタ制御装置４７、台間金額付加機４４等は、電源ラインを用いたネットワークによって接続される。メインコントロール装置４６によって光送受信部４５により管理装置１００側との情報の授受およびネットワークを介して役物制御装置１６、操作表示制御装置３７、本体制御装置３０、カードリーダーライタ制御装置４７側等との情報の授受が行われる。ＣＲＴ４８には、遊技店からの情報、遊技機の遊技情報、制御情報等が表示される。
【００３７】
図１４、図１５は、役物制御装置１６のブロック構成を示すもので、ＣＰＵ４９、システムＲＯＭ、システムＲＡＭ、スプライト画像制御コントローラ（スプライトＶＤＰ）５４、バックグラフィック画像制御コントローラ（バックグラフィックＶＤＰ）５５，５６、画像データＲＯＭ、画像データＲＡＭ、パレット回路５７、スキャンコンバータ５８、ビデオキャプチャーボード５９、ＬＣＤインターフェイス、画像コントローラ（第２操作部表示用ＶＤＰ）６３、音声コントローラ、音声データＲＯＭ、入力ポート、インターフェイス回路、出力ポート、ドライブ回路等から構成される。
【００３８】
遊技盤５の裏面側のワープ樋１３に設けられた各ゲートセンサ５０〜５３、変動入賞装置１５に設けられたカウントセンサ１１、回収球を検出するアウトセンサ１９からの信号は、インターフェイス回路、入力ポートを介して入力され、出力ポートには、ドライブ回路を介して遊技盤５に設けられた各装飾ランプ、変動入賞装置１５の開閉扉１７のソレノイド等が接続される。
【００３９】
画像表示装置（ＬＣＤ）１４には、スプライトＶＤＰ５４からの画像（動きの激しい画像）データ、バックグラフィックＶＤＰ５５，５６からの画像（背景画像）データが、パレット回路５７、スキャンコンバータ５８、ビデオキャプチャーボード５９、ＬＣＤインターフェイスを介して送られて表示される。
【００４０】
ＣＣＤカメラ１０により撮られる画像は、ビデオキャプチャーボード５９、ＬＣＤインターフェイスを介して所定の時期に画像表示装置１４にインポーズ表示される。
【００４１】
スピーカ６０からは、音声コントローラからの音声データがアンプに送られ、出力される。
【００４２】
赤外線通信装置６１からは、第２操作部表示用ＶＤＰ６３からの画像データが第２操作部３２の赤外線通信ユニット６４に送信され、第２操作部３２の表示装置３４に表示される。
【００４３】
スプライトＶＤＰ５４の画像データＲＯＭ、バックグラフィックＶＤＰ５５，５６の画像データＲＯＭには、遊技画像、ディスプレイ、遊技および遊技機の情報等の画像データが格納されている。
【００４４】
なお、第１、第２操作部３１，３２からの信号は、操作表示制御装置３７からネットワークボード（ＮＢ）等を介して送られる。
【００４５】
次に、役物制御装置１６の制御動作を図１６〜図２６のフローチャートに基づいて説明する。
【００４６】
図１６は役物制御装置１６のゼネラルフローで、ＣＰＵモード設定、ＲＡＭチェック、周辺装置の初期化の後、「開店準備」、「普段表示」、「パチンコゲーム」、「リーチゲーム」、「大当たりゲーム」に分岐して処理を行い、各タスクで設定されたスプライトデータ、カラーコマンドをシステムＲＡＭに書き込み、バックグラフィックデータをバックグラフィックＶＤＰ５５，５６へ転送し、「操作表示用データ制御（第２操作部の表示制御）」を行う（１００．０１〜１００．１３）。
【００４７】
割り込み処理は、図１７のようにスプライトＶＤＰ５４の割り込みがあると、システムＲＡＭ内のスプライトデータをスプライトＲＡＭの所定のバンクにセットし、カラーコマンドをパレット回路５７にセットする。続いて、各センサの入力監視、ランプ制御、ネットワークボード送信処理、サウンド制御等を行う（１．０１〜１．１１）。
【００４８】
第２操作部表示用ＶＤＰ６３の割り込みがあると、各タスクでセットされたシステムＲＡＭ内の画像データを第２操作部表示用ＶＤＰ６３へ送る（１．１２，１．１３）。
【００４９】
ネットワークボードよりの割り込みのときは、ネットワークボードの解析処理を行い、ネットワークボードのデュアルポートＲＡＭのデータをメモリに記憶する（１．１４，１．１５）。
【００５０】
画像表示装置１４の画像制御は、普段表示（遊技を行っていないとき等）は、遊技機のデモ用の画像およびメッセージ等を表示する。
【００５１】
パチンコゲームは、パチンコ機の遊技盤を画像表示すると共に、発射装置１８から発射された遊技球をその画像内に仮想表示して画像内の遊技領域を転動するゲーム、およびその仮想表示した遊技球（画像遊技球）の入賞を基に所定のゲームを行う。
【００５２】
遊技盤の画像表示の例を図２９に示す。遊技盤の遊技領域の中央に、内部にクルーン（旋回装置）７６を持つ遊具装置７７を、遊具装置７７の下方に始動口（始動手段）７８を設定している。遊具装置７７の左右には、上方にランプ風車８０ａ，８０ｂを、側方に風車８１ａ，８１ｂを、下方にフリッパー８２ａ，８２ｂを設定している。遊技領域の画像遊技球が上方から遊具装置７７に入ると、クルーン７６を旋回して、中央の孔から下方の始動口７８に向けて落ちる。始動口７８に画像遊技球が入賞すると、遊具装置７７のクルーン７６部分にて図柄回転ゲームを行う。
【００５３】
このパチンコゲームの処理は、図１８のように「玉出現チェック」、「風車（左）処理」、「風車（右）処理」、「ランプ風車（左）処理」、「ランプ風車（右）処理」、「フリッパー処理」、「始動口入賞」、「始動口拡大」、「表示上ランプ処理」、「リーチ移行処理」、「クルーンマスク処理」、「ケースランプ処理」、「図柄回転処理」等を行う（２．０１〜２．１３）。
【００５４】
玉出現チェックは、発射装置１８から遊技領域に発射された遊技球が遊技盤５の裏面側のワープ樋１３に流入して、図１９のようにワープ樋１３の各ゲートセンサ（ゲームＳＷ１〜ＳＷ４）５０〜５３がオンする毎に、入賞抽選（始動口７２の入賞設定等）、玉タスク起動（画像遊技球の出現、動作）の処理に進む（１１．０１〜１１．１２）。
【００５５】
入賞抽選に入ると、図２０のように通常遊技中の遊技球の実発射数と賞球数との比を表すベース値の演算用の発射数（ゲートセンサ５０〜５３のオン回数）を更新して、画像遊技球が始動口７８へ入賞するか否かを決めるための乱数（例えば、０〜１９９の範囲で発生）を取得する（１２．０１，１２．０２）。
【００５６】
始動口７８の拡大表示中にない場合、画像遊技球にカラーボールを出現させるか否かの確率（当たりの判定値、例えば１個）を設定して、乱数がカラーボールの当たりであれば、始動口７８へのカラーボールの入賞を設定する（１２．０３〜１２．０６）。
【００５７】
乱数がカラーボールの当たりでなければ、通常の確率（当たりの判定値、例えば３個）を設定して、その当たりのときに、始動口７８への通常の入賞を設定する（１２．０７〜１２．０９）。
【００５８】
始動口７８の拡大表示中の場合は、高確率（当たりの判定値、例えば８個）を設定して、乱数がその当たりのときに、始動口７８への通常の入賞を設定する（１２．１０〜１２．１２）。
【００５９】
なお、当たり判定値（設定値）は、外部（管理装置１００よりの信号を含む）より設定可能にしている。
【００６０】
玉タスク起動は、図２１のように玉動作用の乱数を読み込んで、画像遊技球の落下速度を設定し、入賞抽選による始動口入賞情報（入賞か否か）を基に画像遊技球の落下方向を設定し、画像遊技球を出現させる（１３．０１〜１３．０３）。
【００６１】
風車（左）処理、風車（右）処理、ランプ風車（左）処理、ランプ風車（右）処理は、画像遊技球が当たったときに、該当する風車８１ａ，８１ｂ，８０ａ，８０ｂを回転するようにセットする。
【００６２】
フリッパー処理は、フリッパー８２ａ，８２ｂに落ちてきたあるいは当たった画像遊技球を打ち上げるように、フリッパー８２ａ，８２ｂの動作をセットする。
【００６３】
始動口入賞は、図２２のように始動口７８に画像遊技球の入賞があると、これを始動記憶として最大４つまで記憶する（１４．０１〜１４．０３）。
【００６４】
始動口７８の拡大表示中にないときは、拡大時の入賞数をクリアする一方、入賞がカラーボールの場合、始動口７８の拡大表示時間を定めるタイマをセットして、拡大を表すサウンド要求を行う（１４．０４〜１４．０８）。始動口７８の拡大表示中のときは、入賞数が３つになったときに拡大表示時間のタイマをクリアする（１４．０９〜１４．１１）。
【００６５】
始動口７８の入賞情報およびその賞球数（この場合、賞球数＝０）をネットワークボードの送信メモリにセットして、遊技情報ディスプレイユニット４３のメインコントロール装置４６、操作表示制御装置３７へ送ると共に、画像遊技球を消滅させる（１４．１２，１４．１３）。
【００６６】
始動口拡大は、始動口の拡大表示時間のタイマのセットに基づき、始動口７８の画像およびその入口の釘の画像の間隔を大きくするように設定する。
【００６７】
表示上ランプ処理は画像上のランプ点灯点滅処理等を、クルーンマスク処理は遊具装置７７のクルーン表示等を、ケースランプ処理は遊具装置７７のランプ点灯点滅処理等をセットする。
【００６８】
図柄回転処理は、画像遊技球の始動口７８の入賞（始動記憶）を基に、遊具装置７７のクルーン７６の表示部分に複数の図柄を回転（スクロール）表示して、これが停止したときの図柄に基づき所定の遊技を発生する。
【００６９】
この複数の図柄の例を図３０に示す。（ａ）のＧＯ！リーチの図柄が出た場合、後述のリーチゲームに進む。（ｂ）の図柄はハズレとなる。（ｃ）のもう１回の図柄が出た場合、再度回転表示（リスタート）を行う。（ｄ）の図柄は小当たりとなる。
【００７０】
この図柄回転処理は、図２３のようにメモリ確認処理、図柄回転終了監視処理、図柄停止終了監視処理、残念終了監視処理、小当たり終了監視処理、リーチ移行開始処理に分岐すると共に、アタッカーオープン処理に入る（１５．０１〜１５．０９）。
【００７１】
メモリ確認処理は、図２４のように始動記憶がある場合、そのメモリを減数して、当たりか否かを決める乱数を取得すると共に、その乱数を基に停止図柄を確定する（１６．０３〜１６．０６）。
【００７２】
リスタートの場合（リスタートフラグが立っている場合）、リスタートフラグをクリアして、再度乱数を取得すると共に、その乱数を基に停止図柄を確定する（１６．０１，１６．０２，１６．０５，１６．０６）。
【００７３】
停止図柄が小当たり図柄ならびにリスタート図柄でないときは、そのまま図柄回転終了監視処理、図柄停止終了監視処理に進む（１６．０７，１６．１３，１６．１９，１６．２０）。
【００７４】
停止図柄が小当たり図柄のときは、現在までのベース値を演算すると共に、ゲーム設定値（ベース設定値）と比較して、ベース値がゲーム設定値よりも大きい場合、リスタート図柄を設定して、図柄回転終了監視処理、図柄停止終了監視処理に進む（１６．０７，１６．１３，１６．１９，１６．２０）。
【００７５】
停止図柄がリスタート図柄のときは、現在までのベース値を演算すると共に、ゲーム設定値と比較して、ベース値がゲーム設定値よりも小さい場合、小当たり図柄を設定して、図柄回転終了監視処理、図柄停止終了監視処理に進む（１６．０７，１６．１３，１６．１９，１６．２０）。
【００７６】
なお、ベース値は、１分間当たりの獲得賞球数にて表すが、１分間に発射装置１８から発射される遊技球を１００個に設定してあるので、それまでの賞球数を１００倍して、これをそれまでの発射数で割算することにより求める。ゲーム設定値は、外部（管理装置１００よりの信号を含む）より設定可能にしている。
【００７７】
図柄回転の設定および回転終了の設定（図柄回転終了監視処理）後、図柄停止終了監視処理に入ると、図２５のように停止図柄から小当たりか、リーチか、リスタートかを判定する（１７．０２，１７．０３，１７．０４）。
【００７８】
小当たりのときは小当たり終了監視処理を、リーチのときはリーチ移行開始処理を、リスタートのときはリスタートフラグを立ててメモリ確認処理を、ハズレのときは残念終了監視処理をセットする（１７．０５〜１７．１３）。
【００７９】
アタッカーオープン処理は、図２６のようにアタッカー（遊技盤５の変動入賞装置１５の開閉扉１７）のソレノイドのオフを設定して、小当たりにないときは、ソレノイドのオフ情報を出力（アタッカーを閉）する（１８．０１，１８．０５）。
【００８０】
小当たりのときは、アタッカーのソレノイドのオンを設定して、そのオン情報を出力（アタッカーを開放）する（１８．０２，１８．０４，１８．０５）。
【００８１】
このアタッカーの開放中、変動入賞装置１５のカウントセンサ１１がオンする毎に、小当たりの場合、小当たりの賞球情報（賞球数、例えば１５個）を設定し、その賞球情報をネットワークボードの送信メモリにセットして、遊技情報ディスプレイユニット４３のメインコントロール装置４６、操作表示制御装置３７へ送る（１８．０６〜１８．０８，１８．１３）。
【００８２】
この小当たりの場合の賞球数をベース値演算用に積算して記憶する（１８．１４）。
【００８３】
小当たりの場合、所定時間の経過、所定数の入賞発生によって、アタッカーオープン処理を終了する（小当たり終了監視処理）。
【００８４】
リーチの場合は、リーチ移行開始処理後、リーチゲームに進む。
【００８５】
リスタートの場合は、メモリ確認処理、再度の図柄回転表示を行う図柄回転終了監視処理、図柄停止終了監視処理を繰り返す。
【００８６】
リーチゲームに進んだ場合、画像表示装置１４のパチンコ機の遊技盤の画像に変えて、アクションゲーム等を画像表示すると共に、これを第２操作部３２の操作によってコントロールして得点を得るゲームを行う。
【００８７】
このゲームの判定が大当たりであれば、大当たりゲームを発生する。大当たりゲームが発生すると、画像表示装置１４に大当たりの発生を祝すファンファーレ表示を行い、ＣＣＤカメラ１０により撮影した画像を、即ち遊技者の顔画像をそのファンファーレ画像にインポーズ表示した後、大当たりゲームの最大獲得玉数（３０００発または２０００発）を決定するルーレットゲーム等に入る。
【００８８】
最大獲得玉数が決定すると、所定サイクル毎に遊技キャラクタ画像を表示するキャラクタ変化処理、ラウンド処理、インターバル処理を繰り返す。
【００８９】
これらの処理中に前図２６のアタッカーオープン処理を行う。これは、大当たりのラウンド処理中にないときは、アタッカー（遊技盤５の変動入賞装置１５の開閉扉１７）のソレノイドのオフ情報を出力（アタッカーを閉）する（１８．０１，１８．０５）。
【００９０】
大当たりのラウンド処理中は、アタッカーのソレノイドのオン情報を出力（アタッカーを開放）する（１８．０２〜１８．０５）。
【００９１】
このアタッカーの開放中、変動入賞装置１５のカウントセンサ１１がオンする毎に、前述の最大獲得玉数が３０００発の場合は３０個の賞球情報を、２０００発の場合は２０個の賞球情報を設定し、その賞球情報をネットワークボードの送信メモリにセットして、遊技情報ディスプレイユニット４３のメインコントロール装置４６、操作表示制御装置３７へ送る（１８．０６〜１８．１３）。
【００９２】
この大当たりの場合、１８．１４にて賞球数（ベース値演算用）の積算、記憶は行っているが、大当たり終了後にクリアする。
【００９３】
なお、操作表示制御装置３７は、遊技中、発射装置１８から遊技球が発射される毎に第１操作部３１に表示する“持玉数ＸＸＸＸＸＸコ”を減数する一方、賞球情報が送られるとその賞球数を第１操作部３１に表示する“持玉数ＸＸＸＸＸＸコ”に加算する。
【００９４】
このような構成により、遊技者が遊技を行う前や遊技者がいないときは、遊技領域の画像表示装置１４に普段表示が行われる。
【００９５】
遊技機のカードの挿入口４０にカードが挿入され、第１操作部３１の操作によって発射装置１８から遊技球が発射され、遊技が開始されると、画像表示装置１４に図２９のようなパチンコ機の遊技盤が画像表示され、その画像内に画像遊技球が出現される。
【００９６】
画像遊技球は、発射装置１８から発射された遊技球が遊技盤５の裏面側のワープ樋１３に流入してゲートセンサ５０〜５３がオンするのに基づき、次々に出現され、その１球毎、画像遊技球の動作（落下速度、落下方向）が玉動作用の乱数等によって選定される。風車８０ａ，８０ｂ、８１ａ，８１ｂに画像遊技球が当たると、風車８０ａ，８０ｂ、８１ａ，８１ｂが回り、フリッパー８２ａ，８２ｂ部分に画像遊技球が来ると、フリッパー８２ａ，８２ｂが動作して打ち上げられる。画像遊技球が、中央の遊具装置７７内に入りクルーン７６を旋回して、中央の孔から下方の始動口７８に向けて落ち、始動口７８に入賞すると、所定の図柄回転ゲームが行われるが、その始動口７８に入賞するか否かは所定の乱数（およびその判定値）を基に決定される。
【００９７】
発射装置１８から発射された遊技球が遊技盤５面から消えると同時に画像遊技球が出現して、画像内の遊技領域を転動するパチンコ遊技が行われると共に、画像遊技球が画像上の始動口７８に入賞する否かが乱数によって設定されるのである。
【００９８】
このため、実球、画像球の興趣に富んだ遊技を行えると共に、始動口７８の入賞率の設定を容易に行える。
【００９９】
また、画像遊技球に所定の乱数を基にカラーボールが出現され、カラーボールが出現すると、始動口７８に入賞されると共に、始動口７８（およびその入口の釘の間隔）が拡大される。
【０１００】
始動口７８の拡大によって画像遊技球が入賞しやすくなり、この際始動口７８の入賞確率が高く設定され、始動口７８に所定数の入賞があると、元の状態に戻される。
【０１０１】
このため、趣向、意外性に溢れると共に、通常時の始動口７８と合わせて入賞確率を設定することで、始動口７８へのランダムな入賞を保ちつつ、始動口７８の入賞率を所望の入賞率に容易に設定できる。
【０１０２】
一方、始動口７８に入賞すると、遊具装置７７のクルーン７６部分にて図３０のような複数の図柄の図柄回転ゲームが行われる。
【０１０３】
この図柄回転ゲームにより、リーチ図柄が出るとリーチゲームに進み、ハズレ図柄が出るとハズレとなる。
【０１０４】
小当たり図柄が出ると、遊技盤５の変動入賞装置１５の開閉扉１７が所定期間開かれ、遊技盤５の裏面側のワープ樋１３から流出した遊技球が変動入賞装置１５に入賞することによって、所定の賞球が得られるようになるが、この場合それまでのベース値がベース設定値と比較され、その比較によって小当たり図柄で停止するか否かが選定される。
【０１０５】
即ち、ベース値がベース設定値よりも小さい場合は、賞球を増やすように小当たり図柄が選定され、反対にベース値がベース設定値よりも大きい場合は、小当たり図柄に変えてリスタート図柄が選定される。
【０１０６】
また、リスタート図柄が出ると、再度の図柄回転が行われるようになるが、この場合もそれまでのベース値がベース設定値と比較され、その比較によってリスタート図柄で停止するか否かが選定される。
【０１０７】
即ち、ベース値がベース設定値よりも小さい場合は、賞球を増やすように小当たり図柄に切換選定され、反対にベース値がベース設定値よりも大きい場合は、そのままリスタート図柄が選定される。
【０１０８】
乱数を基に小当たりを発生させ賞球をもたらすことで、ベース値は次第に所定値に近付くが、そのベース値とベース設定値との比較によっても小当たりを選択的に発生させるので、ベース値が大、小の一方に偏りすぎたままになることはなく、ベース設定値に近似するようになる。
【０１０９】
このため、ベース設定値の設定によって、所望のベース値を容易に得ることができる。また、ベース設定値に対して、図柄回転ゲームの乱数を変更する必要はない。また、始動口７８の入賞に対して、変動入賞装置１５の開閉扉１７を所定期間開く小当たりを発生させるので、ベースに変化を持たせることができ、単調になることはない。また、リスタートを設定したので、興趣に富み、リーチゲームならびに大当たりへの高い期待感を付与できる。
【０１１０】
リーチゲームに進むと、画像表示装置１４にアクションゲーム等が画像表示され、その画像ゲームを第２操作部３２によって操作することで得点が得られ、その画像ゲームの判定が大当たりであれば、変動入賞装置１５の開閉扉１７が所定サイクル開かれて、大量の獲得玉数が得られる大当たりゲームが発生される。
【０１１１】
なお、始動口７８の入賞に賞球を行うようにしても良い。また、画像表示装置１４の画像上の遊技盤に、始動口７８の外に図２９のように一般の入賞口８４，８５を設けても良い。また、もちろん遊技盤５に一般の入賞口を設けても良い。
【０１１２】
図３１、図３２は、始動口７８のベース調整の別の実施の形態を示し、通常遊技中の遊技球の発射数を基準に、および乱数を基に始動口７８の入賞を制御するものである。
【０１１３】
前図１８、図１９のパチンコゲーム、玉出現チェックの処理から図３１の入賞抽選に入ると、通常遊技中の遊技球の発射数（ゲートセンサ５０〜５３のオン回数）を更新して、ゲーム設定値（発射数設定値、例えば１００／６…１個の入賞を生じる発射数になる。即ち、賞球数７個であれば、ベース４２ということになる。）を取り出す（２０．０１，２０．０２）。
【０１１４】
発射数がゲーム設定値を越えた場合、発射数をクリアし、ベース基準値カウンタを＋１する（２０．０３，２０．０４）。
【０１１５】
ベース基準値カウンタの値を第１所定値（例えば１２８）と比較し、第１所定値よりも大きい場合、乱数を読み込み、確率１／１０で当たりか否かを決める。当たりの場合、始動口７８への画像遊技球の入賞を設定する（２０．０５，２０．０６，２０．０８）。
【０１１６】
当たりにない場合、ベース基準値カウンタの値を第２所定値（例えば１３０）と比較し、第２所定値よりも大きい場合、始動口７８への画像遊技球の入賞を設定する（２０．０７，２０．０８）。
【０１１７】
なお、ゲーム設定値、第１所定値、第２所定値は、外部（管理装置１００よりの信号を含む）より設定可能にしている。
【０１１８】
図３２の始動口入賞は、始動口７８に画像遊技球の入賞があると、これを始動記憶として最大４つまで記憶する（２１．０１〜２１．０３）。
【０１１９】
始動記憶が４つ未満の場合、始動口７８の拡大表示中にないときは、拡大時の入賞数をクリアする一方、カラーボールの入賞を選択した場合、始動口７８の拡大表示時間を定めるタイマをセットして、拡大を表すサウンド要求を行う（２１．０４〜２１．０８）。始動口７８の拡大表示中のときは、入賞数が３つになったときに拡大表示時間のタイマをクリアする（２１．０９〜２１．１１）。
【０１２０】
始動口７８の入賞情報（賞球数等）およびその賞球数をネットワークボードの送信メモリにセットして、遊技情報ディスプレイユニット４３のメインコントロール装置４６、操作表示制御装置３７へ送り、画像遊技球を消滅させると共に、この場合前記ベース基準値カウンタの値を−１する（２１．１２〜２１．１４）。
【０１２１】
なお、その他の制御フローは前述の実施の形態の制御フローと同様である。
【０１２２】
このようにすると、ゲーム設定値（１００／６＝約１６個）を１単位として、発射数が所定値を越えるまでは入賞を発生しないが、所定値より大きくなると、１単位の発射をカウントする毎に１／１０の確率で入賞を発生する。また、その１／１０の確率で発生しない場合、再度入賞の判定を行い、１単位または２単位の発射をカウントする毎に入賞を発生する（即ち、安定的に入賞させるため、強制的に入賞を発生させている）。
【０１２３】
即ち、基本的に発射数を基に入賞を発生させるため、所望の入賞率（ゲーム設定値相当）に近似するようになると共に、ゲーム設定値を単位に乱数を用いても入賞を発生させるので、入賞にいわゆるナミを持たせることができ、入賞率の管理を容易に行える。
【０１２４】
なお、各例において、それぞれ設定値を外部より設定できるので、便利である。また、封入球式の遊技機を例に説明したが、これに限定されない。
【０１２５】
特許請求の範囲に記載した以外の本発明の観点の代表的なものとして、次のものがあげられる。
【０１２６】
（１）遊技領域に遊技球を放出する放出手段を設け、特典を付与するか否かの遊技を始動する始動手段を画像表示すると共に、その遊技を画像表示する画像表示手段を備え、その遊技の結果に基づき、遊技球を入賞させ易い状態に変換して入賞に基づく特典を付与する特典付与手段を備えることを特徴とする遊技機。
【０１２７】
（２）画像表示手段は、画像上に遊技球を表出させ、その画像遊技球の進路を管理する画像遊技球管理手段を備える（１）に記載の遊技機。
【０１２８】
（３）画像表示手段は、遊技領域の遊技球を検出する遊技球検出手段の検出値に基づき、画像上に遊技球を表出させ、その画像遊技球の進路を管理する画像遊技球管理手段を備える（１）に記載の遊技機。
【０１２９】
（４）画像表示手段は、画像遊技球の始動手段への入賞に基づき、特典を付与するか否かの遊技を行うようになっている（１）〜（３）のいずれか一つに記載の遊技機。
【０１３０】
（５）画像遊技球管理手段は、画像表示手段が画像表示する始動手段へ画像遊技球を入賞させるか否かを設定値に基づいて決定する始動入賞決定手段を備える（２）〜（４）のいずれか一つに記載の遊技機。
【０１３１】
（６）始動入賞決定手段は、始動手段へ画像遊技球を入賞させるか否かの決定後、再決定を行う始動入賞再決定手段を備える（５）に記載の遊技機。
【０１３２】
（７）画像表示手段が画像表示する始動手段への画像遊技球の入賞を所定数記憶する入賞球記憶手段と、入賞球記憶手段による記憶に基づいて、特典を付与するか否かの遊技を行うと共に、特典を付与するか否かを決定する特典付与決定手段と、特典付与決定手段に基づく判定が第１特典付与状態の場合に特典付与手段を第１状態に制御する第１特典供給手段と、特典付与決定手段に基づく判定が第２特典付与状態の場合に特典付与手段を第２状態に制御する第２特典供給手段と、特典付与手段が第２状態の場合に遊技球が入賞したときの賞球数を記憶する第２状態賞球数記憶手段と、遊技領域の遊技球を検出する遊技球検出手段の検出値に基づき第１特典付与状態以外の遊技球数を記憶する打込遊技球数記憶手段と、を有し、前記第２特典供給手段は、第２状態賞球数記憶手段の記憶値と打込遊技球数記憶手段の記憶値との比が設定値以上か否かを判定して、以上のときは、第２特典付与状態の判定を変更すると共に、再度特典を付与するか否かの遊技を行う再遊技実行手段を備える（１）〜（６）のいずれか一つに記載の遊技機。
【０１３３】
（８）設定値は外部より設定可能である（５）又は（７）に記載の遊技機。
【０１３４】
（９）遊技領域に遊技球を放出する放出手段と、遊技領域の遊技球を検出する遊技球検出手段と、特典を付与するか否かの遊技を始動する始動手段を画像表示すると共に、前記遊技球検出手段が遊技球を検出する毎に画像上に表出する画像遊技球の始動手段への入賞に基づいて第１乱数を取得して複数の図柄を回転表示する遊技を行う画像表示手段と、前記第１乱数に基づいて回転表示の停止図柄を確定し、該停止図柄が当たりの場合に遊技球を入賞させ易い状態に変換して入賞に基づく特典を付与する特典付与手段と、前記第１乱数に基づく判定が第１特典付与状態の場合に前記特典付与手段を第１状態に制御する第１特典供給手段と、前記第１乱数に基づく判定が第２特典付与状態の場合に前記特典付与手段を賞球数が第１状態より少ない第２状態に制御する第２特典供給手段と、特典付与手段が前記第２状態の場合に遊技球が入賞したときの賞球数を記憶する第２状態賞球数記憶手段と、前記遊技球検出手段により検出された遊技球のうち第１特典付与状態以外の遊技球数を記憶する打込遊技球数記憶手段と、を備え、前記第２特典供給手段は、前記第２状態賞球数記憶手段の記憶値と打込遊技球数記憶手段の記憶値との比が設定値以上か否かを判定して、前記記憶値が前記設定値以上のときは、前記第１乱数に基づく判定が第２特典付与状態であっても前記第１乱数に基づく判定を変更して前記画像表示手段における遊技の結果としてリスタート図柄を表示し、リスタート図柄が表示される場合に前記第１乱数を再度取得して、前記特典を付与するか否かの遊技を再度行う再遊技実行手段を備えることを特徴とする遊技機。
【０１３５】
（１０）前記画像表示手段には、画像遊技球を画像表示させた始動手段へ入賞させるか否かを、遊技球検出手段によって検出された遊技球数と設定値との比較結果に基づいて決定することにより、この画像遊技球の進路を管理する画像遊技球管理手段を備え、前記画像遊技球管理手段は、前記遊技球検出手段によって検出された遊技球数が前記設定値となることを１単位とし、該１単位に達する毎に第２乱数を読み込んで該第２乱数が当たりの場合、若しくは、前記第２乱数が２度続けて当たりでない場合に画像遊技球を始動手段へ入賞させることを特徴とする（９）に記載の遊技機。
【０１３６】
（１）〜（１０）の発明によれば、特典を付与するか否かの遊技およびその遊技の始動手段が画像表示されるので、興趣に富み、その画像上に遊技球を表出させ、その画像遊技球の始動手段への入賞によって特典を付与するか否かの遊技を行わせるので、始動手段への入賞率を容易に設定でき、趣向に溢れた遊技を行える。遊技領域の遊技球の検出に基づいて画像遊技球を表出させ、その進路を管理するので、実球、画像球の意外性および興趣に富んだ遊技を行える。
【０１３７】
また、画像遊技球の始動手段への入賞によって特典を付与するか否かの遊技を行わせ、その結果によって遊技球の入賞の特典を付与するので、いわゆるベースに変化を持たせながら、所望のベース値を得ることができ、ベース管理を容易に行える。
【０１３８】
画像遊技球を始動手段へ入賞させるか否かの判定を再度行わせることで、入賞にいわゆるナミを持たせることができる。また、特典を付与するか否かの再度の遊技を可能としたので、より興趣に溢れた遊技を行えると共に、ベース管理が一層容易になる。
【０１３９】
また、始動手段への入賞率の設定値、ベースの設定値を外部より設定できるため、これらの管理が一層容易になる。
【符号の説明】
【０１４０】
１  外枠
２  内枠
３  パネル部
５  遊技盤
６  ガラス枠
７  パネル下部
８  カバーガラス
１０  ＣＣＤカメラ
１１  カウントセンサ
１３  ワープ樋
１４  画像表示装置
１５  変動入賞装置
１６  役物制御装置
１８  発射装置
１９  アウトセンサ
２１  発射口
２３  回収樋
２４  移送機構
２５  貯留樋
２７，２８  傾斜面
３０  本体制御装置
３１  第１操作部
３２  第２操作部
３３，３４  表示装置
３５，３６  タッチパネル
３７  操作表示制御装置
４０  挿入口
４１  リーダーライタ
４６  メインコントロール装置
４９  ＣＰＵ
５０〜５３  ゲートセンサ
５４  スプライト画像制御コントローラ
５５，５６  バックグラフィック画像制御コントローラ
５７  パレット回路
５８  スキャンコンバータ
５９  ビデオキャプチャーボード
６１  赤外線通信装置
６３  第２操作部表示用ＶＤＰ
６４  赤外線通信ユニット
７０  ワープ入口
７３，７４  案内壁
７５  ワープ出口
７６  クルーン
７７  遊具装置
７８  始動口
８０ａ，８０ｂ  ランプ風車
８１ａ，８１ｂ  風車
８２ａ，８２ｂ  フリッパー
８４，８５  一般入賞口
【図１】
2010155171.tif 000003
【図２】
2010155171.tif 000004
【図３】
2010155171.tif 000005
【図４】
2010155171.tif 000006
【図５】
2010155171.tif 000007
【図６】
2010155171.tif 000008
【図７】
2010155171.tif 000009
【図８】
2010155171.tif 000010
【図９】
2010155171.tif 000011
【図１０】
2010155171.tif 000012
【図１１】
2010155171.tif 000013
【図１２】
2010155171.tif 000014
【図１３】
2010155171.tif 000015
【図１４】
2010155171.tif 000016
【図１５】
2010155171.tif 000017
【図１６】
2010155171.tif 000018
【図１７】
2010155171.tif 000019
【図１８】
2010155171.tif 000020
【図１９】
2010155171.tif 000021
【図２０】
2010155171.tif 000022
【図２１】
2010155171.tif 000023
【図２２】
2010155171.tif 000024
【図２３】
2010155171.tif 000025
【図２４】
2010155171.tif 000026
【図２５】
2010155171.tif 000027
【図２６】
2010155171.tif 000028
【図２７】
2010155171.tif 000029
【図２８】
2010155171.tif 000030
【図２９】
2010155171.tif 000031
【図３１】
2010155171.tif 000032
【図３２】
2010155171.tif 000033
【図３０】
2010155171.tif 000034